(57)【要約】【課題】眼底画像毎の色調の違いを抑制できる。【解決手段】  眼科用画像処理プログラムは、画像処理器８０のプロセッサによって実行されることにより、波長が互いに異なる複数の単色光を眼底Ｅｒへ照射することによって撮影されるカラー眼底画像における画素の階調値の分布を表すヒストグラムを、それぞれの単色光と対応するチャンネル毎に取得するヒストグラム取得ステップと、ヒストグラムの目標パターンがチャンネル毎に予め設定されており、ヒストグラム取得ステップによって取得された各チャンネルのヒストグラムを、対応する目標パターンへフィットするように補正することで補正ヒストグラムを得るヒストグラム補正ステップと、補正ヒストグラムによって各チャンネルの階調値の分布が表されるカラー眼底画像である色調補正画像を、各チャンネルの補正ヒストグラムに基づいて生成する色調補正画像生成ステップと、を画像処理器８０に実行させる。【選択図】図２
2020054479.tif 000002
【特許請求の範囲】
【請求項１】
眼科用画像処理プログラムであって、
コンピュータのプロセッサによって実行されることにより、
波長が互いに異なる複数の単色光を眼底へ照射することによって撮影されるカラー眼底画像における画素の階調値の分布を表すヒストグラムを、それぞれの前記単色光と対応するチャンネル毎に取得するヒストグラム取得ステップと、
前記ヒストグラムの目標パターンが前記チャンネル毎に予め設定されており、前記ヒストグラム取得ステップによって取得された各チャンネルの前記ヒストグラムを、対応する前記目標パターンへフィットするように補正することで補正ヒストグラムを得るヒストグラム補正ステップと、
前記補正ヒストグラムによって各チャンネルの階調値の分布が表されるカラー眼底画像である色調補正画像を、各チャンネルの前記補正ヒストグラムに基づいて生成する色調補正画像生成ステップと、
を前記コンピュータに実行させる眼科用画像処理プログラム。
【請求項２】
白色光を眼底へ照射することによって撮影されたカラー眼底画像における各チャンネルのヒストグラムのパターンである第１パターンが、前記目標パターンとして予め設定されている、請求項１記載の眼科用画像処理プログラム。
【請求項３】
前記ヒストグラム取得ステップにおいて取得されるヒストグラムは、第１チャンネルとしてＲ（赤）チャンネルと、第２チャンネルとしてＧ（緑）チャンネル、Ｂ（青）チャンネルまたはその両方と、の少なくとも２種類が含まれており、
ヒストグラム補正ステップは、前記第２チャンネルにおける階調分布が、前記第１チャンネルにおける階調分布へ近づくように、前記第２チャンネルにおける明るさ、および、コントラストの少なくとも一方を、増大させるパターンである、第２パターンが、前記目標パターンとして予め設定されている、請求項１記載の眼科用画像処理プログラム。
【請求項４】
各チャンネル間で階調値の分布を一致させるための第２パターンが、前記目標パターンとして予め設定されている、請求項１記載の眼科用画像処理プログラム。
【請求項５】
白色光を眼底へ照射することによって撮影された眼底画像であるカラー眼底画像におけるヒストグラムのパターンである第１パターンと、
前記第２パターンとの間で、前記目標パターンを選択する選択ステップを、更に前記コンピュータに実行させる、請求項３又は４記載の眼科用画像処理プログラム。
【請求項６】
前記第１パターンは、眼底カメラによって撮影された眼底カメラ画像におけるヒストグラムのパターンである、請求項２又は５記載の眼科用画像処理プログラム。
【請求項７】
前記第１パターンと、前記第２パターンと、の選択操作を受け付けるためのＧＵＩと前記カラー眼底画像とを同時にモニタへ表示させると共に、
前記第１パターンと前記第２パターンとのいずれかによって補正された色調補正画像を、前記ＧＵＩへの操作に応じて切換表示させる、請求項５記載の眼科用画像処理プログラム。
【請求項８】
眼底撮影装置によって、波長が互いに異なる複数の単色光が眼底へ照射されると共に、前記複数の単色光の眼底反射光に基づくカラー眼底画像が撮影される撮影ステップと、
前記眼底画像における画素の階調値の分布を表すヒストグラムが、前記単色光と対応するチャンネル毎に、コンピュータによって取得されるヒストグラム取得ステップと、
前記ヒストグラムの目標パターンが前記チャンネル毎に予め設定されており、前記ヒストグラム取得ステップによって取得された各チャンネルの前記ヒストグラムを、対応する前記目標パターンへフィットするように補正することで、前記コンピュータが補正ヒストグラムを得るヒストグラム補正ステップと、
前記補正ヒストグラムによって各チャンネルの階調値の分布が表されるカラー眼底画像である色調補正画像が、各チャンネルの前記補正ヒストグラムに基づいて前記コンピュータによって生成する色調補正画像生成ステップと、
を含む、眼科用画像処理方法。
【請求項９】
波長が互いに異なる複数の単色光を眼底へ照射する照射光学系と、
前記複数の単色光の眼底反射光を受光する受光素子を含む受光光学系と、
前記受光素子からの信号に基づいて眼底画像を生成する画像処理手段と、を有し、
前記画像処理手段は、
波長が互いに異なる複数の単色光を眼底へ照射することによって撮影されるカラー眼底画像における画素の階調値の分布を表すヒストグラムを、それぞれの前記単色光と対応するチャンネル毎に取得し、
前記ヒストグラムの目標パターンが前記チャンネル毎に予め設定されており、前記ヒストグラム取得ステップによって取得された各チャンネルの前記ヒストグラムを、対応する前記目標パターンへフィットするように補正することで補正ヒストグラムを取得し、
前記補正ヒストグラムによって各チャンネルの階調値の分布が表されるカラー眼底画像である色調補正画像を、各チャンネルの前記補正ヒストグラムに基づいて生成する、
ことを特徴とする眼底撮影装置。
【請求項１０】
前記照射光学系は、光スキャナによって眼底上で前記単色光を走査し、
前記受光光学系は、眼底と共役な位置に有害光除去部を有することを特徴とする請求項８記載の眼底撮影装置。
【請求項１１】
照射光学系と、
前記照射光学系と前記受光光学系とによって撮影される前記カラー眼底画像の画角を切り替える画角切換手段を、更に有し、
前記画像処理手段は、前記画角に応じて前記目標パターンを変更する、請求項７又は９記載の眼底撮影装置。
【発明の詳細な説明】
【技術分野】
【０００１】
本開示は、波長が互いに異なる複数の単色光を用いて撮影された被検眼の眼底画像を処理する眼科用画像処理プログラム、眼科用画像処理方法、および、眼底撮影装置に関する。
【背景技術】
【０００２】
可視光を用いて被検眼の眼底を撮影する眼底撮影装置には、白色光を照明光として利用する装置の他、波長が互いに異なる複数の単色光を照明光として利用する装置が知られている。
【０００３】
単色光を照明光として利用する装置として、共焦点方式の装置が知られている。例えば、特許文献１には、赤外域、赤、青、緑の４色のレーザー光を同時に、または、選択的に、光源から出射され、各色の光の眼底反射光に基づいて眼底画像が生成される、ＳＬＯ装置が開示されている。
【先行技術文献】
【特許文献】
【０００４】
【特許文献１】特開２０１６−０５９５３９号公報
【発明の概要】
【発明が解決しようとする課題】
【０００５】
しかしながら、複色光（例えば、白色光）が照明光として利用される場合と比較して、単色光が照明光として利用される場合では、眼底における反射特性の個体差が、色調の違いとして眼底画像において強調される。つまり、単色光が照明光として利用される場合には、眼底画像における色調において、各々の被検眼に対する撮影毎に大きな違いが生じやすい。
【０００６】
また、特許文献１のような共焦点方式の装置においては、撮影時における、アライメントのズレ、および、フォーカスのズレ等が、色調に影響しやすい。
【０００７】
本開示は、従来技術の問題点の少なくともいずれかに鑑みてなされたものであり、眼底画像毎の色調の違いを抑制すること、を技術課題とする。
【課題を解決するための手段】
【０００８】
本開示の第１態様に係る眼科用画像処理プログラムは、コンピュータのプロセッサによって実行されることにより、波長が互いに異なる複数の単色光を眼底へ照射することによって撮影されるカラー眼底画像における画素の階調値の分布を表すヒストグラムを、それぞれの前記単色光と対応するチャンネル毎に取得するヒストグラム取得ステップと、前記ヒストグラムの目標パターンが前記チャンネル毎に予め設定されており、前記ヒストグラム取得ステップによって取得された各チャンネルの前記ヒストグラムを、対応する前記目標パターンへフィットするように補正することで補正ヒストグラムを得るヒストグラム補正ステップと、  前記補正ヒストグラムによって各チャンネルの階調値の分布が表されるカラー眼底画像である色調補正画像を、各チャンネルの前記補正ヒストグラムに基づいて生成する色調補正画像生成ステップと、を前記コンピュータに実行させる。
【０００９】
本開示の第２態様に係る眼科用画像処理方法は、眼底撮影装置によって、波長が互いに異なる複数の単色光が眼底へ照射されると共に、前記複数の単色光の眼底反射光に基づくカラー眼底画像が撮影される撮影ステップと、前記眼底画像における画素の階調値の分布を表すヒストグラムが、前記単色光と対応するチャンネル毎に、コンピュータによって取得されるヒストグラム取得ステップと、  前記ヒストグラムの目標パターンが前記チャンネル毎に予め設定されており、前記ヒストグラム取得ステップによって取得された各チャンネルの前記ヒストグラムを、対応する前記目標パターンへフィットするように補正することで、前記コンピュータが補正ヒストグラムを得るヒストグラム補正ステップと、前記補正ヒストグラムによって各チャンネルの階調値の分布が表されるカラー眼底画像である色調補正画像が、各チャンネルの前記補正ヒストグラムに基づいて前記コンピュータによって生成する色調補正画像生成ステップと、  を含む。
【００１０】
本開示の第３態様に係る眼底撮影装置は、波長が互いに異なる複数の単色光を眼底へ照射する照射光学系と、前記複数の単色光の眼底反射光を受光する受光素子を含む受光光学系と、前記受光素子からの信号に基づいて眼底画像を生成する画像処理手段と、を有し、前記画像処理手段は、波長が互いに異なる複数の単色光を眼底へ照射することによって撮影されるカラー眼底画像における画素の階調値の分布を表すヒストグラムを、それぞれの前記単色光と対応するチャンネル毎に取得し、
前記ヒストグラムの目標パターンが前記チャンネル毎に予め設定されており、前記ヒストグラム取得ステップによって取得された各チャンネルの前記ヒストグラムを、対応する前記目標パターンへフィットするように補正することで補正ヒストグラムを取得し、前記補正ヒストグラムによって各チャンネルの階調値の分布が表されるカラー眼底画像である色調補正画像を、各チャンネルの前記補正ヒストグラムに基づいて生成する、ことを特徴とする。
【発明の効果】
【００１１】
本開示によれば、眼底画像毎の色調の違いを抑制できる。
【図面の簡単な説明】
【００１２】
【図１】実施形態に係る眼底撮影装置の概略構成を示す図である。
【図２】本実施形態に係る眼科用画像処理方法を示したフローチャートである。
【図３】色調の補正方法を説明するための図であって、目標パターンとして第１パターンを用いた場合の補正前後の眼底画像および各チャンネルのヒストグラムを示している。
【図４】色調の補正方法を説明するための図であって、目標パターンとして第２パターンを用いた場合の補正前後の眼底画像および各チャンネルのヒストグラムを示している。
【図５】画面構成の一例を示した図である。
【発明を実施するための形態】
【００１３】
「概要」
以下、本開示を、実施形態に基づいて説明する。便宜上、以下では、特に断りが無い限り、実施形態に係る「眼科用画像処理プログラム」の処理内容、および、「眼科用画像処理方法」は、「眼底撮影装置」によって実行されるものとして説明する。
【００１４】
＜全体構成＞
実施形態に係る眼底撮影装置１（以下、「本装置１」と省略する）は、撮影光学系１０，２０と、画像処理器８０と、を少なくとも備える。画像処理器８０を有することによって、本装置１は、各種画像処理を実行するコンピュータとなる。画像処理器８０は、装置全体の動作を司るプロセッサによって兼用されてもよい。画像処理器８０は、装置全体の動作を司るプロセッサとは別体であってもよい。画像処理器８０のプロセッサからアクセス可能なメモリには、眼科用画像処理プログラムが格納されていてもよい。
【００１５】
本装置１は、例えば、図１に示すように、光学ユニット１ａと、制御ユニット１ｂと、に大別されており、撮影光学系１０，２０は光学ユニット１ａに、画像処理器８０は制御ユニット１ｂに、それぞれ格納されていてもよい。制御ユニット１ｂには、プロセッサ（ＣＰＵ）７１の他、各種メモリ７２を有している。眼科用画像処理プログラムは、メモリ７２に格納されていてもよい。また、制御ユニット１ｂには、操作部７５（ユーザインターフェース）が接続されていてもよい。操作部７５は、マウスおよびタッチパネル等のポインティングデバイスであってもよいし、その他のユーザインターフェースであってもよい。制御ユニット１ｂとして、例えば、ＰＣが利用されてもよい。
【００１６】
また、本装置１は、モニタ９０を有していてもよい。モニタ９０には、例えば、撮影された眼底画像が表示される。その他に、モニタ９０には、各種ＧＵＩが表示されてもよい。
【００１７】
＜撮影光学系＞
撮影光学系１０，２０は、眼底画像の一種であるカラー眼底画像を少なくとも撮影する。本実施形態において眼底画像は、眼底の正面画像である。また、カラー眼底画像は、各画素が色情報を有している。撮影光学系１０，２０は、照射光学系１０と、受光光学系２０と、を含む（図１参照）。なお、追加的に、撮影光学系１０，２０は、モノクロ眼底画像を撮影してもよい。
【００１８】
照射光学系１０は、波長が互いに異なる複数の単色光を眼底へ照射する。受光光学系２０は、複数の単色光の眼底反射光を受光する受光素子２５を、少なくとも有する。受光素子２５からの信号は画像処理器８０へ入力され、その結果として、カラー眼底画像が、画像処理器８０によって生成される。受光光学系２０において、受光素子２５は、単色光の波長毎に複数設けられていてもよい。この場合、波長が異なる複数の眼底反射光が複数の受光素子２５によって、複数の単色光による眼底反射光が、同時に受光されてもよい。また、波長が異なる複数の眼底反射光が時分割で（換言すれば、互いに異なるタイミングで）１つの受光素子２５に受光されてもよい。受光素子２５としては、点受光素子、一次元撮像素子（ラインセンサ）、二次元撮像素子等のいずれかが用いられてもよい。いずれが採用されるかは、撮影方式に応じて適宜選択される。
【００１９】
照射光学系１０は、波長毎に光源１１を有していてもよい。例えば、光源１１として、単色ＬＥＤ、および、レーザー光源等の各種光源のうちいずれかが用いられてもよい。ここで、「単色光」には、スペクトル分解できない光という狭義の意味があるが、本開示では必ずしもこれに限定されない。本開示における「単色光」は、眼底撮影装置の技術分野において、特定の一色と扱われる程度の波長分布の幅を有していてもよい。但し、単色光における波長分布の幅は、眼底撮影装置の技術分野における白色光と明確に区別できる程度に、十分に狭いものである。
【００２０】
例えば、撮影光学系１０，２０は、カラー眼底画像を撮影する際に、Ｒ（赤），Ｇ（緑），Ｂ（青）の３色を眼底へ照射するものであってもよい。このとき、追加的に、または、Ｒの光と代替的に、ＩＲ（赤外）の光が、眼底へ照射されてもよい。ここでは、カラー眼底画像を撮影する際に３色ないし４色の光が眼底へ照射されるが、必ずしもこれに限られるものではなく、眼底へ照射される光は２色であってもよいし、５色以上であってもよい。また、上記の色の組み合わせは一例に過ぎず、他の色の組み合わせによって、カラー眼底画像が撮影されてもよい。
【００２１】
撮影光学系１０，２０は、共焦点光学系であってもよい。共焦点光学系の場合、照射光学系１０は、光スキャナを有し、眼底上でポイント状またはライン状に照明光（ここでは、単色光）を集光させると共に、光スキャナによって、照明光を眼底上で走査させる。また、受光光学系２０には、有害光除去部（例えば、ピンホールおよびスリットアパーチャ等）が、眼底共役位置に設けられる。有害光除去部は、照明光が照射された領域からの眼底反射光を受光素子２５へ導き、それ以外を除去する。そして、受光素子２５による逐次受光の結果として、眼底の正面画像が取得される。なお、ラインスキャン方式では、受光素子２５が有害光除去部を兼用する場合がある。この場合、受光素子２５として利用されるラインセンサが、眼底共役位置に配置される。非共焦点方式の撮影光学系の一例としては、一般的な眼底カメラの光学系等が挙げられる。共焦点光学系のより詳細については、例えば、本出願人による特開２０１６−０５９５３９号公報等を参照されたい。この文献には、共焦点光学系を持つ眼底撮影装置の一例である走査型レーザー検眼鏡が開示されている。
【００２２】
＜画像処理器＞
前述したように、画像処理器８０は、受光素子２５からの信号に基づいて眼底画像を生成する。本実施形態では、眼底画像として、少なくともカラー眼底画像が生成される。但し、必ずしもこれに限られるものではなく、追加的に、画像処理器８０は、モノクロ眼底画像を受光素子２５からの信号に基づいて生成してもよい。
【００２３】
本実施形態において、画像処理器８０は、被検眼および撮影条件にかかわらず、予め定められた色調で表現されるカラー眼底画像（本実施形態では、「色調補正画像」という）を生成する。図２を参照し、その手法を説明する。各ステップ以前に、波長が互いに異なる複数の単色光を眼底へ照射することによって、カラー眼底画像の撮影が行われていること、が前提となる。
【００２４】
＜ヒストグラム取得ステップ＞
予めカラー眼底画像が取得された状態で、画像処理器８０は、ヒストグラム取得ステップを実行する。ヒストグラム取得ステップでは、画像処理器８０が、補正の対象となるカラー眼底画像（便宜上、「ベース画像」という）におけるヒストグラムを取得する。ここでいうヒストグラムは、カラー眼底画像における画素（ピクセル）の階調値の分布を表す。ヒストグラムは、それぞれの単色光と対応するチャンネル毎に取得される。例えば、ベース画像のＲ，Ｇ，Ｂの各チャンネルにおけるヒストグラムが、画像処理器８０によって、それぞれ取得されてもよい。取得されるヒストグラムは、以下の説明においては、特に断りが無い限り、ベース画像を構成する全画素を母集団とするものとする。但し、必ずしもこれに限られるものではなく、ベース画像における一部の領域を構成する画素を母集団とするものであってもよい。
【００２５】
なお、１つのチャンネルに対して、１色の単色光が対応づけられていることが好ましいが、対応関係は、必ずしもこれに限られるものではない。単色光が４色以上である場合は、少なくとも１つのチャンネルが複数色の単色光と対応してもよい。例えば、ＩＲ，Ｒ，Ｇ，Ｂの４色を眼底へ照射することでベース画像が撮影される場合、ＩＲとＲとの２種類の単色光が、１つのチャンネル（Ｒチャンネル）に対応し、残りの２色が、それぞれ別のチャンネルに対応するように、対応関係が定められていてもよい。また、単色光が２色である場合は、少なくとも１色が２つ以上のチャンネルと対応してもよい。
【００２６】
＜ヒストグラム補正ステップ＞
次いで、画像処理器８０は、ヒストグラム補正ステップ（ヒストグラム補正処理）を実行する。このステップでは、ヒストグラム取得ステップによって取得された各チャンネルのヒストグラムが、目標パターンに基づいて補正される。便宜上、ヒストグラム補正ステップによって補正されたヒストグラムを、「補正ヒストグラム」と称す。目標パターンは、チャンネル毎に予め設定されている。目標パターンは、目標とする階調値の分布を規定する情報である。目標とする階調値の分布における特徴値によって、目標パターンは規定されてもよい。例えば、目標パターンにおいて、少なくとも明るさ（ブライトネス）およびコントラストの２つの目標値が規定されてもよい。明るさおよびコントラストの目標値を規定する情報には、種々の情報が利用され得る。例えば、明るさの目標値は、目標とする階調分布における、階調値の平均値、中央値および最頻値のうちいずれかの値であってもよい。また、コントラストを規定する情報は、目標とする階調分布における、標準偏差、分散、および半値幅のうちいずれかの値であってもよい。目標パターンの具体例については後述する。
【００２７】
ヒストグラム補正ステップにおいて、画像処理器８０は、ヒストグラム取得ステップによって取得された各チャンネルのヒストグラムを、各チャンネルと対応する目標パターンへフィットするように補正する。これにより、補正ヒストグラムを得る。各チャンネルのヒストグラムは、例えば、線形的な処理によって補正されてもよい。つまり、目標パターンに対する補正前のヒストグラムの差に応じて、各画素の階調値に対する加算・減算・乗算・除算が、適宜行われ、その結果として、補正ヒストグラムが得られてもよい。線形的な補正処理に加え、又は、代えて、非線型的な処理によって、ヒストグラムが補正されてもよい。例えば、トーンカーブを用いて各ヒストグラムが補正されてもよい。
【００２８】
以上のような補正処理の結果、各チャンネルの明るさおよびコントラストが、目標パターンへ近づけられる。
【００２９】
＜色調補正画像生成ステップ＞
画像処理器８０は、色調補正画像生成ステップを実行することにより、色調補正画像を各チャンネルの補正ヒストグラムに基づいて生成する。色調補正画像は、補正ヒストグラムによって各チャンネルの階調値の分布が表されるカラー眼底画像である。つまり、色調補正画像は、補正前のヒストグラムに基づくカラー眼底画像に対して色調が補正されており、予め定められた目標とする色調であって、各チャンネルの目標パターンに応じた色調で表現される。
【００３０】
ここで、単色光を照明光として用いて撮影を行う場合、各チャンネルのヒストグラムに対する、眼底における反射特性の個体差（例えば、病変の有無，および，人種等に依存）等の影響が大きく、色調に撮影毎のばらつきが生じやすかった。これに対し、本実施形態では、反射特性の個体差に関わらず、各チャンネルのヒストグラムが目標パターンへ近づくように補正されるので、色調補正画像において撮影毎の色調のばらつきを抑制できる。
【００３１】
また、撮影光学系が共焦点方式である場合、更に、アライメントおよびフォーカス等の撮影条件が、各チャンネルのヒストグラムへ影響しやすく、撮影毎の撮影条件の誤差が、撮影毎のヒストグラムのばらつきとして生じやすい。つまり、特定の被検眼を撮影する場合であっても、各撮影で色調が安定し難い。これに対し、上記の通り、色調補正画像では、撮影毎の色調のばらつきが抑制される。このため、共焦点方式の撮影光学系によって撮影が行われる場合に、上記の処理は特に有用である、と考えられる。
【００３２】
なお、カラー眼底画像における色調は、ハードウェア側の調整によって、補正することも考えられる。例えば、光源１１の出力、受光素子２５のゲイン等が調整されてもよい。しかしながら、ハードウェアが十分な調整幅を有しているとは限らない。また、例えば、撮影光学系が共焦点方式である場合には、比較的大きな調整が必要となるので、ハードウェアの選択肢が制限されてしまう。これに対し、本実施形態では、ソフト的に色調が補正されるので、ハードウェアによる制約が少なく、有利である。
【００３３】
また、光源１１の経年劣化による出力の変化によって、カラー眼底画像における色調が変化してしまうことが考えられるが、色調補正画像は、これに対しても有効である。
【００３４】
＜目標パターンの具体例＞
ヒストグラム補正ステップにおいて利用され得る、目標パターンの具体例（第１パターンおよび第２パターン）を例示する。
【００３５】
＜第１パターン＞
第１パターンは、白色光を眼底へ照射することによって撮影されたカラー眼底画像における、各チャンネル（Ｒ，Ｇ，Ｂの各チャンネル）のヒストグラムのパターンを表すものである。白色光を用いて撮影されたカラー眼底画像におけるヒストグラムにおける特徴値（階調分布における階調値の平均値、中央値および最頻値のいずれか、および、階調分布における、標準偏差、分散、および半値幅のうちいずれか）によって、第１パターンが規定され得る。これらの特徴値が、ヒストグラム補正ステップにおける補正の目標値として利用される。第１パターンは、例えば、１枚のカラー眼底画像におけるヒストグラムに基づいて定められていてもよいし、複数枚のカラー眼底画像における平均的なヒストグラムに基づいて定められていてもよい。白色光を発する光源としては、キセノンランプ、および、白色ＬＥＤ等のうちいずれかが用いられてもよい。カラー眼底画像は、例えば、眼底カメラによって撮影された眼底カメラ画像であってもよい。
【００３６】
ここで、図３を参照して、第１パターンを適用して色調が補正された色調補正画像における特徴を詳細に説明する。図３の各グラフは、チャンネル毎（Ｒ，Ｇ，Ｂのチャンネル毎）のヒストグラムを示している（図４においても同様）。
【００３７】
図３に示した色調補正画像は、次の目標値によって規定される第１パターンへフィットするように、各チャンネルのヒストグラムが補正されている。
［明るさの目標値（階調分布の平均値）］
Ｒ：１２２
Ｇ：６６
Ｂ：３２
［コントラストの目標値（標準偏差）］
Ｒ：４０
Ｇ：２７．５
Ｂ：１６．６
但し、各目標値は、２５６階調における階調値を単位とする。
【００３８】
一例として示した、これらの目標値は、白色光で撮影されたカラー眼底画像（より具体的には眼底カメラ画像）に基づいて定められている。
【００３９】
白色光で撮影されたカラー眼底画像においては、網膜のより深層側の特徴が観察されやすいという特徴がある。また、眼底における各波長の深達度は、［深←（ＩＲ）  Ｒ  Ｇ  Ｂ→浅］という関係となっている。
【００４０】
そこで、第１パターンでは、Ｒのチャンネルにおける明るさの目標値には、Ｇ，Ｂの各チャンネルの目標値に対して高輝度側の値が採用されている。また、Ｇのチャンネルにおける明るさの目標値には、Ｂのチャンネルの目標値に対して高輝度側の値が採用されている。
【００４１】
また、Ｒのチャンネルにおけるコントラストの目標値には、Ｇ，Ｂの各チャンネルの目標値に対して高コントラスト側の値が採用されている。また、Ｇのチャンネルにおけるコントラストの目標値は、Ｂのチャンネルの目標値に対して高コントラスト側の値が採用されている。このような第１パターンが適用された色調補正画像からは、白色光で撮影されたカラー眼底画像と同様に、眼底のより深層側の情報が得られやすくなる。
【００４２】
また、白色光が照明光として用いられる場合、単色光が照明光として利用される場合と比べ、ひとつひとつのチャンネルに対する照明光の波長範囲が広く、眼底における反射特性の影響は相対的に低減され、安定した色調を示す。一方、単色光で撮影したカラー眼底画像には、眼底の反射特性等が色調へ影響しやすく、色調が安定し難い。例えば、図３において一例として示したベース画像におけるヒストグラムからは、Ｇのチャンネルと、Ｂのチャンネルとの間において、明るさ、および、コントラストに明確な違いが無いことが見て取れるが、このような色調の特徴についての再現性は高くない。
【００４３】
また、眼底検査の分野において、白色光で撮影されたカラー眼底画像が、長年活用されてきた結果、白色光で撮影されたカラー眼底画像の色調は、広く検者に浸透している。これと比較し、単色光を用いて撮影したカラー眼底画像の色調については、検者に十分浸透しているとは言い難い。
【００４４】
これに対し、第１パターンを用いて補正することによって、単色光を用いて撮影したカラー眼底画像を、検者に馴染みのある色調で表現でき、有意義である。
【００４５】
＜第２パターン＞
第２パターンは、各チャンネル間で階調値の分布を一致させるための目標パターンである。ここでいう一致は、厳密な一致である必要は無く、略一致程度であってもよい。言い換えれば、第２パターンは、各チャンネル間で階調値の分布の違いを抑制するための目標パターンである。
【００４６】
ここで、図４を参照して、第２パターンを適用して色調が補正された色調補正画像の特徴を詳細に説明する。
【００４７】
図４に示した色調補正画像は、次の目標値によって規定される第２パターンへフィットするように、各チャンネルのヒストグラムが補正されている。
［明るさの目標値（階調分布の平均値）］
Ｒ：９０．６
Ｇ：７９．８
Ｂ：７２．６
［コントラストの目標値（標準偏差）］
Ｒ：３３．８
Ｇ：２９．８
Ｂ：２８．３
前述の第１パターンでは、コントラストの目標値には、チャンネル間で比較的大きな違いがあったが、上記に示したように、第２パターンにおけるコントラストの目標値は、３０前後で、略一致している。
【００４８】
また、第２パターンにおける明るさの目標値は、チャンネル間で最大で２０弱の誤差があるが、第１パターンでは、チャンネル間で最大で９０程度の誤差があるので、これと比較し、上記に示した第２パターンにおける誤差は、十分に小さくなっている。
【００４９】
このように、第２パターンが適用された色調補正画像においては、Ｒ，Ｇ，Ｂの各チャンネルにおける明るさおよびコントラストの目標値が、各チャンネルの間で略一致することから、網膜の表層側から深層側までの特徴が、満遍なく描写されやすくなる。また、第２パターンにおいて、Ｇ，Ｂの各チャンネルにおけるコントラストの目標値は、白色光で撮影されたカラー眼底画像におけるＧ，Ｂの各チャンネルのコントラストに対して、大きな値が設定されていてもよい。これにより、第２パターンが適用された色調補正画像においては、第１パターンが適用された場合（≒白色光で撮影された場合）と比べ、網膜の表層側の特徴を、検者がより良好に把握しやすくなる。例えば、神経線維層（ＮＦＬ）に生じた新生血管が、第２パターンが適用された色調補正画像においては、より強調されて描写される。
【００５０】
また、第２パターンは、元々コントラストの高い情報が得られやすいＲのチャンネル（本実施形態における第１のチャンネル）の階調分布に対し、他のチャンネルの階調分布を、近づけるように、第２チャンネル（Ｇ，Ｂのチャンネルの一方又は両方；本実施形態における第２のチャンネル）における明るさ、および、コントラストの少なくとも一方を、増大させるパターンであり、網膜の表層側をより良好に描写させるためのものとして、表現することもできる。
【００５１】
＜その他のパターン＞
また、目標パターンは、上記２種類に限られるものでは無い。例えば、網膜の深層側に比べて表層側の特徴をより強調して描写するための第３パターンが、目標パターンとして用意されていてもよい。第３パターンにおいて、Ｒのチャンネルにおけるコントラストの目標値は、少なくともＢのチャンネル（又は、Ｂ、Ｇの各チャンネル）に比べて小さな値が定められていてもよい。これにより、網膜の表層側の特徴が、より強調されて描写されやすくなる。
【００５２】
また、各人種におけるカラー眼底画像の色調を再現するための複数の目標パターンが用意されていてもよい。この場合、被検者の人種に応じて、目標パターンが選択されてもよい。このような目標パターンを適用した場合、例えば、人種に応じた自然な色調で、カラー眼底画像が描写され得る。
【００５３】
また、特定のメーカーの装置、又は、特定の製品（型式または製品名で特定されるもの）における色調を再現するための目標パターンが用意されていてもよい。このような目標パターンを適用した場合、異なる装置で撮影されたカラー眼底画像との比較を行いやすくなる。なお、この場合、本装置１で撮影されたカラー眼底画像の画角が、目標パターンの参考とした他の装置で得られる画像の画角と異なることが考えられる。具体例として、本装置１の画角が６０°であるのに対し、色調を再現しようとする眼底カメラの画角が３０°である場合、眼底カメラにおける３０°の画角の画像における色調を、画角が６０°の画像全体へそのまま適用しようとすると、検者が違和感を受ける色調となる場合が考えられる。そこで、この場合は、ヒストグラム取得ステップにおいてヒストグラムが取得される領域を、中心３０°の範囲に限定したうえで、ヒストグラム補正ステップにおいて、明るさおよびコントラストの補正量を、求めるようにしてもよい。但し、階調値の補正を行う範囲は、中心３０°の範囲に限らず、画角６０°の範囲全体であってもよい。また、逆に、本装置１の画角よりも、目標パターンの参考とした他の装置の画角が大きい場合、他の装置で得られた画像全体のうち一部の領域の階調分布に基づいて、目標パターンが定められていてもよい。
【００５４】
＜目標パターンの選択＞
画像処理器８０は、更に、選択ステップを実行してもよい。それぞれのチャンネルに対して、目標パターンがそれぞれ複数用意されており、選択ステップでは、その中から、ヒストグラム補正処理において使用する目標パターンが選択される。例えば、上記の第１パターンと、第２パターンとの間で、使用する目標パターンが選択されてもよい。使用する目標パターンは、検者の操作に基づいて選択されてもよい。これにより、検者の所望の色調で表現されたカラー眼底画像を生成できる。
【００５５】
目標パターンを検者に選択させるために、例えば、図５に示す選択画面がモニタ９０上で表示されてもよい。選択画面には、目標パターンの選択操作を受け付けるためのＧＵＩが表示される。一例として、図５では、パターン選択ボタン２１０，２２０が表示される。図５では、２つのパターン選択ボタン２１０，２２０が配置されており、第１パターンおよび第２パターンと、それぞれ対応している。選択画面では、選択ボタン２１０，２２０と共に、カラー眼底画像が、領域２００へ表示される。２つの選択ボタン２１０，２２０のうちいずれかが、操作部７５を介して選択されることによって、選択したパターンを用いて色調補正画像が生成され、領域２００へ表示される。
【００５６】
更に、選択画面上に表示されたカラー眼底画像（ベース画像および色調補正画像）における色調を、更に手動で調整するためのＧＵＩが、選択画面上に設けられていてもよい。例えば、図５では、各チャンネルの明るさおよびコントラストを、調整するためのスライダー２４０が配置されている。スライダー２４０への操作は、領域２００に表示されるカラー眼底画像へ反映される。これにより、検者の所望の色調で表現されたカラー眼底画像を観察できる。手動で色調が調整されたカラー眼底画像は、所定の操作に基づいてメモリ７２へ保存されてもよい。
【００５７】
このときの色調補正に利用された手動調整後の目標パターンが、新規のプリセットの目標パターンとしてメモリ７２へ保存可能であってもよい。保存された目標パターンは、以降、選択画面において、第１パターン及び第２パターンと共に、選択可能となってもよい。なお、保存される新規の目標パターンは、他のプリセットのパターン（例えば、第１パターン及び第２パターン）に対する調整の結果として生成されたものに限定されず、検者によってゼロベースで指定された、明るさおよびコントラストの組み合わせを目標値として有するものであってもよい。
【００５８】
更に、選択画面には、リセットボタン２３０が配置されていてもよい。リセットボタン２３０を操作することで、補正前のカラー眼底画像が、領域２００へ表示される。
【００５９】
＜画角の切換に応じて目標パターンを変更＞
撮影光学系１０，２０は、画角を変更する画角切換部を有してもよい。例えば、画角切換部は、撮影光学系１０，２０に含まれる対物光学系１５の光学的な構成を切り替えることで、画角を変更してもよい。詳細には、画角切換部は、対物光学系１５に対して光学素子を挿脱する挿脱機構を含んでいてもよい。光学素子は、レンズ、ミラー、および、プリズム等を用いることができる。また、画角切換部は、２つ以上のレンズの位置関係が光路に沿って変化することで、屈折状態が変更されるズーム機構であってもよい。また、液晶レンズ等の屈折力可変レンズを画角切換部として有していてもよい。
【００６０】
このとき、カラー眼底画像における色調は、画角に応じて変化し得る。そこで、各チャンネルの目標パターンは、画角毎に用意されていてもよい。画像処理器８０は、ヒストグラム補正ステップにおいて、画角と対応する目標パターンを選択し、選択した目標パターンを用いて、各チャンネルにおけるヒストグラムを補正してもよい。その結果として、各画角において好適な色調のカラー眼底画像を、色調補正画像として取得できる。
【００６１】
以上、実施形態に基づいて説明を行ったが、本開示を実施するうえで、実施形態の内容を適宜変更することができる。
【００６２】
例えば、上記実施形態において、ベース画像は、  波長が互いに異なる複数の単色光を眼底へ照射することによって撮影されているものとしたが、白色光を眼底へ照射することによって撮影されたカラー眼底画像をベース画像として、目標パターンを用いた補正処理が行われてもよい。この場合も色調を安定化させる一定の効果が得られる。
【符号の説明】
【００６３】
１      眼底撮影装置
１０      照射光学系
２０      受光光学系
８０      画像処理器
【図１】
2020054479.tif 000003
【図２】
2020054479.tif 000004
【図３】
2020054479.tif 000005
【図４】
2020054479.tif 000006
【図５】
2020054479.tif 000007